【手続補正書】
【提出日】平成17年5月20日(2005.5.20)
【手続補正１】
【補正対象書類名】明細書
【補正対象項目名】全文
【補正方法】変更
【補正の内容】
【書類名】        明細書
【発明の名称】    脱毛予防発毛促進頭部入浴キャップ並びに育毛方法
【特許請求の範囲】
【請求項１】  上下貫通した開口部を有する円筒状のキャップ本体を、弾力性を有し且つ通水性のない素材により形成して、このキャップ本体を人頭部にかぶった際に、人頭部上方のキャップ本体内に温水を注入し得る留水部が形成されるように構成し、この留水部が形成されるキャップ本体の上端開口部の開口径を下端開口部の開口径より小さくして上側程開口幅が狭まる先細筒形部を有する形状に構成したことを特徴とする脱毛予防発毛促進頭部入浴キャップ。
【請求項２】  上下貫通した開口部を有する円筒状のキャップ本体を、弾力性を有し且つ通水性のない素材により形成して、このキャップ本体を人頭部にかぶった際に、人頭部上方のキャップ本体内に温水を注入し得る留水部が形成されるように構成し、このキャップ体を人頭部にかぶった際このキャップ本体の下側開口部を締め付けるようにして巻き付けてこの下側開口部の人頭部への密着度合いを強める帯状又は紐状の保持体を、このキャップ本体の下側開口部に付設した構成とするか、若しくは前記キャップ本体と、このキャップ本体とは分離別体の前記保持体とから成る構成としたことを特徴とする脱毛予防発毛促進頭部入浴キャップ。
【請求項３】  上下貫通した開口部を有する円筒状のキャップ本体を、弾力性を有し且つ通水性のない素材により形成して、このキャップ本体を人頭部にかぶった際に、人頭部上方のキャップ本体内に温水を注入し得る留水部が形成されるように構成し、この留水部が形成されるキャップ本体の上端開口部の開口径を下端開口部の開口径より小さくして上側程開口幅が狭まる先細筒形部を有する形状に構成し、このキャップ本体を人頭部にかぶった際このキャップ本体の下側開口部を締め付けるようにして巻き付けてこの下側開口部の人頭部への密着度合いを強める帯状又は紐状の保持体を、このキャップ本体の下側開口部に付設した構成とするか、若しくは前記キャップ本体と、このキャップ本体とは分離別体の前記保持体とから成る構成としたことを特徴とする脱毛予防発毛促進頭部入浴キャップ。
【請求項４】  前記保持体に面ファスナーを設け、この面ファスナーにより前記キャップ本体の下側開口部の人頭部への締付密着状態を調節し得るように構成したことを特徴とする請求項２，３のいずれか１項に記載の脱毛予防発毛促進頭部入浴キャップ。
【請求項５】  入浴時に、前記請求項１〜４のいずれか１項に記載の脱毛予防発毛促進頭部入浴キャップの前記キャップ本体を人頭部にかぶり、この人頭部上方のキャップ本体内に形成される前記留水部に温水を注入して頭皮を温め、毛穴を開かせる若しくは頭皮の油を溶かし、老廃物をふやかし浮き上がらせることを特徴とする育毛方法。
【請求項６】  頭皮が温まり毛穴が開いたところでキャップ本体を人頭部よりはずし、その後、シャンプーや石鹸などの洗浄剤を使用して人頭部を洗浄し、洗浄後洗浄剤をすすぎ、すすぎ後再び前記キャップ本体を人頭部にかぶり、留水部に温水を注入してこの留水部で毛穴に残留している洗浄剤をすすぐ若しくはなくすことを特徴とする請求項５記載の育毛方法。
【請求項７】  シャワー若しくは洗面器によって前記留水部に温水を注入することを特徴とする請求項５，６のいずれか１項に記載の育毛方法。
【請求項８】  毛穴に残留しているシャンプーや石鹸などの洗浄剤をすすいだ後若しくはなくした後、前記留水部に温水と冷水を交互に注入することを特徴とする請求項５〜７のいずれか１項に記載の育毛方法。
【発明の詳細な説明】
【０００１】
【発明の属する技術分野】
この発明は、頭部に装着した状態で温水または冷水を満たすことにより、頭皮の毛穴を広げ毛根の油を取り除いたり、頭皮の血行を促進し新陳代謝を高めることができるようにした脱毛予防発毛促進頭部入浴キャップ並びにこの脱毛予防発毛促進頭部入浴キャップを用いた育毛方法に関するものである。
【０００２】
【従来の技術】
従来、自分自身で頭部を洗う場合、入浴と同時に行うことが多く、頭部に浴槽やシャワーなどの温水を適量かけて濡らしシャンプーや石鹸などを使用して洗い、その後同様に温水などをかけてシャンプーや石鹸などを流していた。
【０００３】
また、硬性の器の内側に温水のはいるふくろを付け頭皮をあたためる温水器がある。（特許文献１参照）。
【０００４】
【特許文献１】  特開平１０−１４９６８号公報
【０００５】
【発明が解決しようとする課題】
そのために次のような問題点があった。
【０００６】
首から下の部分は湯舟につかり温めることはできるが、頭部まで湯舟につかることができず首から下の部分の毛穴は開いても頭部の毛穴は開きづらかった。
【０００７】
そして、毛穴が開かない状態で頭部を洗っているため、毛穴にたまった油や老廃物を落としきれず、きれいに洗ったつもりでも油や老廃物がのこり、育毛の阻害や毛髪脱落の助長をしており、さらに加齢臭などの悪臭の原因にもなっている。
【０００８】
さらに、流水すすぎのため頭皮表面のシャンプーやトリートメント剤は洗い流せたが、毛穴に付着したシャンプーやトリートメント剤が残留し育毛の阻害や毛髪脱落の原因をつくっていた。
【０００９】
また、特許文献１は温水をふくろに入れて使用するため、頭皮を温めるのみで温水が直接頭皮にふれないので油を溶かす作用やふやかす作用がなく、ふくろの温水の温度が下がったときに温水の入れ替えや使用後の管理がめんどうである。
【００１０】
本発明は以上の問題点を解決するためになされたものである。
【００１１】
【課題を解決するための手段】
添付図面を参照して本発明の要旨を説明する。
【００１２】
上下貫通した開口部を有する円筒状のキャップ本体１を、弾力性を有し且つ通水性のない素材により形成して、このキャップ本体１を人頭部Ｈにかぶった際に、人頭部Ｈ上方のキャップ本体１内に温水を注入し得る留水部Ｗが形成されるように構成し、この留水部Ｗが形成されるキャップ本体１の上端開口部の開口径を下端開口部の開口径より小さくして上側程開口幅が狭まる先細筒形部を有する形状に構成したことを特徴とする脱毛予防発毛促進頭部入浴キャップに係るものである。
【００１３】
また、上下貫通した開口部を有する円筒状のキャップ本体１を、弾力性を有し且つ通水性のない素材により形成して、このキャップ本体１を人頭部Ｈにかぶった際に、人頭部Ｈ上方のキャップ本体１内に温水を注入し得る留水部Ｗが形成されるように構成し、このキャップ体１を人頭部Ｈにかぶった際このキャップ本体１の下側開口部を締め付けるようにして巻き付けてこの下側開口部の人頭部Ｈへの密着度合いを強める帯状又は紐状の保持体２を、このキャップ本体１の下側開口部に付設した構成とするか、若しくは前記キャップ本体１と、このキャップ本体１とは分離別体の前記保持体２とから成る構成としたことを特徴とする脱毛予防発毛促進頭部入浴キャップに係るものである。
【００１４】
また、上下貫通した開口部を有する円筒状のキャップ本体１を、弾力性を有し且つ通水性のない素材により形成して、このキャップ本体１を人頭部Ｈにかぶった際に、人頭部Ｈ上方のキャップ本体１内に温水を注入し得る留水部Ｗが形成されるように構成し、この留水部Ｗが形成されるキャップ本体１の上端開口部の開口径を下端開口部の開口径より小さくして上側程開口幅が狭まる先細筒形部を有する形状に構成し、このキャップ本体１を人頭部Ｈにかぶった際このキャップ本体１の下側開口部を締め付けるようにして巻き付けてこの下側開口部の人頭部Ｈへの密着度合いを強める帯状又は紐状の保持体２を、このキャップ本体１の下側開口部に付設した構成とするか、若しくは前記キャップ本体１と、このキャップ本体１とは分離別体の前記保持体２とから成る構成としたことを特徴とする脱毛予防発毛促進頭部入浴キャップに係るものである。
【００１５】
また、前記保持体２に面ファスナー３を設け、この面ファスナー３により前記キャップ本体１の下側開口部の人頭部Ｈへの締付密着状態を調節し得るように構成したことを特徴とする請求項２，３のいずれか１項に記載の脱毛予防発毛促進頭部入浴キャップに係るものである。
【００１６】
また、入浴時に、前記請求項１〜４のいずれか１項に記載の脱毛予防発毛促進頭部入浴キャップの前記キャップ本体１を人頭部Ｈにかぶり、この人頭部Ｈ上方のキャップ本体１内に形成される前記留水部Ｗに温水を注入して頭皮を温め、毛穴を開かせる若しくは頭皮の油を溶かし、老廃物をふやかし浮き上がらせることを特徴とする育毛方法に係るものである。
【００１７】
また、頭皮が温まり毛穴が開いたところでキャップ本体１を人頭部Ｈよりはずし、その後、シャンプーや石鹸などの洗浄剤を使用して人頭部Ｈを洗浄し、洗浄後洗浄剤をすすぎ、すすぎ後再び前記キャップ本体１を人頭部Ｈにかぶり、留水部Ｗに温水を注入してこの留水部Ｗで毛穴に残留している洗浄剤をすすぐ若しくはなくすことを特徴とする請求項５記載の育毛方法に係るものである。
【００１８】
また、シャワーＳ若しくは洗面器Ｋによって前記留水部Ｗに温水を注入することを特徴とする請求項５，６のいずれか１項に記載の育毛方法に係るものである。
【００１９】
また、毛穴に残留しているシャンプーや石鹸などの洗浄剤をすすいだ後若しくはなくした後、前記留水部Ｗに温水と冷水を交互に注入することを特徴とする請求項５〜７のいずれか１項に記載の育毛方法に係るものである。
【００２０】
【発明の実施の形態】
好適と考える本発明の実施の形態（発明をどのように実施するか）を、図面に基づいてその効果を示して簡単に説明する。
【００２１】
入浴時に、弾力性を有し且つ通水性のないキャップ本体１を人頭部Ｈにかぶると、人頭部Ｈ上方のキャップ本体１内に温水を注入し得る留水部Ｗが形成される。
【００２２】
この際、特に請求項２あるいは請求項３の発明の場合は、キャップ本体１の下側開口部を帯状又は紐状の保持体２で締め付け巻き付けして、この下側開口部の人頭部Ｈへの密着度合いを強めることができるので、キャップ本体１を頭部に密着させることができ、留水部Ｗの温水が漏れづらくなる。
【００２３】
この留水部Ｗに、例えばシャワーＳ若しくは洗面器Ｋによって温水を注入する。
【００２４】
この際、特に請求項１あるいは請求項３の発明の場合は、この留水部Ｗが形成されるキャップ本体１の上端開口部の開口径を下端開口部の開口径より小さくして上側程開口幅が狭まる先細筒形部を有する形状に構成していることにより、留水部Ｗの温水がこぼれづらい。
【００２５】
すると、温水が直接頭皮に接触して温められて毛穴が開き、育毛の阻害や毛髪脱落の助長、並びに加齢臭などの悪臭の原因にもなっている頭皮の油を溶かす作用や老廃物をふやかし浮き上がらせる作用がある。
【００２６】
なお、留水部Ｗの温度が下がった場合、保持体２をゆるめるか頭部を傾けることにより温度の下がった留水部Ｗの温水を排出し、再度、保持体２を締め直しキャップ本体１の留水部Ｗに適量の温水を注入するだけでよい。
【００２７】
従って、大がかりな装置を必要とせず入浴時に手軽に使用することができるため、生活習慣の一部として育毛促進や脱毛予防をすることができる。
【００２８】
また、その後、例えば、頭皮が温まり毛穴が開いたところで、（請求項２あるいは請求項３の発明の場合、保持体（２）をゆるめて）キャップ本体１を人頭部Ｈよりはずし、その後、シャンプーや石鹸などの洗浄剤を使用して人頭部Ｈを洗浄し、洗浄後洗浄剤をすすぎ、すすぎ後再び前記キャップ本体１を人頭部Ｈにかぶり、留水部Ｗに温水を注入して毛穴に残留している洗浄剤をすすぐと、脱毛原因の一つである洗浄剤などの残留をなくす効果がある。
【００２９】
更に、その後、例えば、キャップ本体１の留水部Ｗに温水と冷水を交互に注入することにより頭皮の毛細血管が伸縮するため血行促進や新陳代謝を高める効果がある。
【００３０】
また、請求項２あるいは請求項３の発明においては、保持体２を強く締め付けるため頭皮への血液が一時的に流れづらくなるが、保持体２をゆるめることにより血液が一気に流れ毛細血管を広げ血行を促進する効果がある。
【００３１】
【実施例】
以下、本発明の具体的な実施例を図面に基づいて説明する。
【００３２】
ウエットスーツに使用するような弾力性があり水を通さない素材を使用し円筒状のキャップ本体１の開口下部の外周部分に保持体２を設ける。なお、キャップ本体１は弾力性があり水を通さない素材ならどんなものでもよい。
【００３３】
なお、保持体２については次の手段がある。図３に示したように保持体２に収縮性帯状部材を使用し、収縮性帯状部材に面ファスナー３を設ける。面ファスナー３の設置箇所は、キャップ本体１の頭部への圧着状態を調節できるようにするため、面ファスナー３のどちらか一方を保持体２の伸縮可能領域全体に設ける。
【００３４】
また、図８のように紐状部材を使用し紐状部材を縛る方法や、図９のように帯状部材に調整部材９を設け着脱部材オス７と着脱部材メス８を連結する方法や、図１０のようにキャップ本体１の開口下部の外周をキャップ本体１の外周より小さくし、その部分に収縮性円筒状部材を設けキャップ本体１を保持する方法や、図１１のようにキャップ本体１より収縮率の高い収縮性円筒状部材を使用しキャップ本体１と保持体２を一体化する方法がある。なお、保持体２はキャップ本体１を人頭部Ｈに固定することができ留水部Ｗの水が漏れないものであれば他の方法でもよい。
【００３５】
また、保持体２は使用上の利便性の向上のためキャップ本体１と接着部５にて固定されているが、キャップ本体１と保持体２は接着部５をもたず分離された構造でもよい。
【００３６】
本発明は、以上の構成でこれを使用するときは以下のような形態で使用する。
【００３７】
（第１実施例）図３のように頭頂部がキャップ本体１に抵触しないようにかぶり、保持体２をしめつけキャップ本体１と頭部を密着させる。このときキャップ本体１に弾力性素材を使用するため、保持体２を強く締め付けることにより留水部Ｗの温水や冷水が漏れづらくなる。
【００３８】
その後、湯舟につかりながらシャワーＳや洗面器Ｋなどによってキャップ本体１の留水部Ｗに適量の温水を注入し頭皮を温める。この場合の留水部Ｗの温水の温度は湯舟と同じ温度かそれより若干高めの温度設定が良いが、留水部Ｗの温度には決まった温度は無く使用する個人の任意で決定する。
【００３９】
なお、留水部Ｗの温度が下がった場合、保持体２をゆるめるか頭部を傾けることにより温度の下がった留水部Ｗの温水を排出し、再度、保持体２を締め直しキャップ本体１の留水部Ｗに適量の温水を注入するだけでよい。
【００４０】
キャップ本体１の留水部Ｗに適量の温水を注入後、３分から５分程度で頭皮があたたまり毛穴が開いたところで、留水部Ｗの温水を排出し、保持体２をゆるめキャップ本体１を人頭部Ｈよりはずす。その後、シャンプーや石鹸などを使用し頭部を洗いシャンプーや石鹸などをシャワーＳや洗面器Ｋの流水にてすすぐ。
【００４１】
そして、上記と同じ要領にてキャップ本体１および保持体２を装着し適量の温水を留水部Ｗに注入し毛穴に残留しているシャンプーや石鹸などをすすぐ。この場合、キャップ本体１を装着したまま留水部Ｗの温水の中に手を入れ頭皮を指先でもむようにするとなお効果的である。
【００４２】
その後、キャップ本体１の留水部Ｗに温水と冷水を交互に注入することにより頭皮の毛細血管が伸縮するため血行促進や新陳代謝を高める効果がある。
【００４３】
さらに、保持体２を強く締め付けるため頭皮への血液が一時的に流れづらくなる。そして、保持体２をゆるめることにより血液が一気に流れ毛細血管を広げ血行を促進する効果がある。
【００４４】
キャップ本体１に乾燥用フック６を設けることにより、使用後も簡単に乾燥させることができ清潔に保つことができる。
【００４５】
（第２実施例）図４は図３のキャップ本体１の開口上部を狭めることにより留水部Ｗの温水や冷水が第１実施形態よりこぼれづらいようになっている。使用方法は第１実施例と同様である。
【００４６】
（第３実施例）図５はキャップ本体１の上部にファスナー４を設けることにより頭を傾けても留水部Ｗの温水や冷水がこぼれないようにしている。さらに留水部Ｗの容積を減らすことにより、キャップ本体１の満水時の重量を減らし、入浴時に湯舟につかれない場合でも使用することができる。使用方法は留水部Ｗの温水や冷水がこぼれないようにファスナー４閉める以外第１実施例と同様である。
【００４７】
【発明の効果】
本発明は上述のように構成したから、大がかりな装置を必要とせず入浴時に手軽に使用することができるため、生活習慣の一部として育毛促進や脱毛予防をすることができる。
【００４８】
頭を洗う直前に毛穴を最大限に広げることができ、温水が直接頭皮に接触するため毛穴を広げる効果だけではなく、頭皮の油を溶かす作用や老廃物をふやかし浮き上がらせる作用がある。
【００４９】
そして、すすぎ時に使用することにより、脱毛原因の一つである洗浄剤やトリートメント剤などの残留をなくす効果がある。
【００５０】
温水と冷水を交互にキャップ本体の留水部に注入することにより血行促進や新陳代謝を高める作用がある。
【００５１】
また、特に、請求項１あるいは請求項３の発明の場合は、留水部が形成されるキャップ本体の上端開口部の開口径を下端開口部の開口径より小さくして上側程開口幅が狭まる先細筒形部を有する形状に構成していることにより、留水部の温水がこぼれづらい。
【００５２】
また、特に、請求項２あるいは請求項３の発明の場合は、キャップ本体の下側開口部を帯状又は紐状の保持体で締め付け巻き付けして、この下側開口部の人頭部への密着度合いを強めることができるので、キャップ本体を頭部に密着させることができ、留水部の温水が漏れづらくなる。さらに、保持体を強く締め付けることにより頭皮への血液が一時的に流れづらくなり、保持体をゆるめることにより血液が一気に流れ毛細血管を広げ血行を促進する効果がある。
【００５３】
また、請求項４記載の発明においては、面ファスナーにより頭部への密着状態を調節できる。
【図面の簡単な説明】
【図１】
本発明の脱毛予防発毛促進頭部入浴キャップの斜視図である。
【図２】
本発明の脱毛予防発毛促進頭部入浴キャップの断面図である。
【図３】
本発明の第１実施例の斜視図である。
【図４】
本発明の第２実施例の斜視図である。
【図５】
本発明の第２実施例の断面図である。
【図６】
本発明の第３実施例の斜視図である。
【図７】
本発明の第３実施例の断面図である。
【図８】
本発明の紐状部材使用の保持体の斜視図である。
【図９】
本発明の着脱部材使用の保持体の斜視図である。
【図１０】
本発明の収縮性円筒状部材使用の保持体の斜視図である。
【図１１】
本発明の収縮性円筒状部材と保持体一体型の保持体の斜視図である。
【符号の説明】
１  キャップ本体
２  保持体
３  面ファスナー
Ｗ  留水部
Ｈ  人頭部
Ｓ  シャワー
Ｋ  洗面器